(57)【要約】【課題】簡単な構成で施工性に優れる擁壁構造およびその施工方法を提供すること。【解決手段】本擁壁構造は、水平な施工基面９と、この施工基面９に対し前後方向に上り勾配をなす法面１とを有する施工現場に組立てられ、法面１に沿って水平方向に伸びる上下複数段の横木材２，３と、上下横木材間に設置されて前後方向に伸びる上下複数段の支持棒材４とを備え、施工基面９上に、上下同一長さの支持棒材４を水平姿勢で横木材２，３とともに法面１に向かうように順次ずらして積み重ねたことにより、簡単な構成で優れた施工性を得ることができた。【選択図】        図１
2004257048.tif 000002
【特許請求の範囲】
【請求項１】
施工基面と、この施工基面に対し前後方向に上り勾配をなす法面とを有する施工現場に組立てられ、上記法面に沿って水平方向に伸びる上下複数段の横木材と、上下横木材間に設置されて上記前後方向に伸びる上下複数段の支持棒材とを備えた擁壁構造であって、
水平な施工基面上に、上下同一長さの支持棒材を水平姿勢で横木材とともに上記法面に向かうように順次ずらして積み重ねたことを特徴とする擁壁構造。
【請求項２】
支持棒材は、上記ずらした位置における横木材の周壁部に対応する切欠部を有するとともに、この切欠部に横木材の周壁部を係合させた状態で上記横木材と上記支持棒材とを連結する連結部材を備えたことを特徴とする請求項１記載の擁壁構造。
【請求項３】
連結部材は上記連結状態で鉛直姿勢をなすものであることを特徴とする請求項２記載の擁壁構造。
【請求項４】
施工基面と、この施工基面に対し前後方向に上り勾配をなす法面とを有する施工現場に組立てられ、上記法面に沿って水平方向に伸びる上下複数段の横木材と、上下横木材間に設置されて上記前後方向に伸びる上下複数段の支持棒材とを備えた擁壁の施工方法であって、
施工基面を水平に造成した後に、この施工基面上に上下同一長さの支持棒材を水平姿勢で横木材とともに上記法面に向かうように順次ずらして積み重ねることを特徴とする擁壁の施工方法。
【発明の詳細な説明】
【０００１】
【発明の属する技術分野】
本発明は、道路または河川の法面等を保護する擁壁構造およびその施工方法に関するものである。
【０００２】
【従来の技術】
例えば施工現場において切土や盛土をした場合、その法面の安定のためにある程度の緩やかな勾配が必要となるが、わが国ではこの法面の勾配を大きくして土地の有効利用を図るべく、いわゆる擁壁を設けることが多い。そして、この擁壁を設けることによって、法面を急勾配もしくは垂直にまですることができるが、その場合には、背面からの土圧を受け止める耐圧構造であることが必要である。
【０００３】
一方、丸太材等を使用した木製擁壁は、コンクリート製の土木用ブロックを使用したものに比べて軽量で取り扱いに便利で、現場における施工が容易であるとともに、自然環境を保護する面においても適している等の利点を有する。
【０００４】
そこで、かかる木製擁壁の利点を生かしつつ、土圧に耐える擁壁構造が開発された（例えば、特許文献１参照）。
【０００５】
この従来の擁壁構造は、例えば図４に示すように、後下がりの施工基面５９と、この施工基面５９に対し前後方向に上り勾配をなす法面５１とを有する施工現場に組立てられるものであって、法面５１に沿って水平方向に伸びる上下複数段の横木材５２，５３と、前側の横木材５２及び後側の横木材５３の間に設置されて前後方向に伸びる支持棒材５４とを有し、この支持棒材５４に横木材５２，５３の周壁部に対応した切欠部５６を形成するとともに、この切欠部５６に横木材５２，５３の周壁部を係合した状態で、この横木材５２，５３と、支持棒材５４とを連結部材５８によって連結し、横木材５２，５３と法面５１との間に土石等からなる裏込め材５５が充填されたものである。
【０００６】
【特許文献１】
特開平１１−２８６９５０号公報
【０００７】
【発明が解決しようとする課題】
しかし、上記従来例では、施工基面５９を後下がりに傾斜させるように大きく床堀施工するため、その手間が大変である。
【０００８】
また法面５１の勾配の大きさ如何によっては支持部材５４の切欠部５６と横木材５２，５３の周壁部との係合が自重により外れてしまうので、横木材５２，５３上に支持棒材５４を積み重ねることが困難となり、それらの連結位置が前後方向にずれ易くなるため施工性が非常に悪くなる。この場合、図４のように、法面５１に各支持棒材５４の一端を突き当てるように前後方向にずらして設置したとしても、法面５１に支持棒材５４の荷重がかかり、その一端側が柔らかい法面５１に食い込んで連結位置が前後方向にずれ易くなるため、その施工性を改善するまでには至らない。
【０００９】
また、法面５１の勾配の大きさ如何によっては支持部材５４の切欠部５６と横木材５２，５３の周壁部との係合が自重により外れてしまうので、万一連結部材５８が腐食してその連結機能が損なわれた場合には、上記横木材５２，５３と支持棒材５４とに作用する裏込め材５５の大きな押圧力に抗することができなくなって、崩壊してしまうおそれもあった。
【００１０】
なお、上記従来例において、施工基面５９を水平にすることも変形例として開示されているが、その場合には、法面５１の勾配に合わせて、支持棒材５４を上下で異なる長さのものとしているので、構造が複雑化し、その成形、搬送、組立ての各面からみても効率的な施工を期待できない。
【００１１】
本発明は、このような事情に鑑み、簡単な構成で施工性に優れる擁壁構造およびその施工方法を提供するものである。
【００１２】
【課題を解決するための手段】
請求項１に係る発明は、施工基面と、この施工基面に対し前後方向に上り勾配をなす法面とを有する施工現場に組立てられ、上記法面に沿って水平方向に伸びる上下複数段の横木材と、上下横木材間に設置されて上記前後方向に伸びる上下複数段の支持棒材とを備えた擁壁構造であって、水平な施工基面上に、上下同一長さの支持棒材を水平姿勢で横木材とともに上記法面に向かうように順次ずらして積み重ねたことを特徴とするものである。
【００１３】
この構成によれば、水平な施工基面上に擁壁を形成するので、この施工基面を造成するために大きく床堀施工することがなくなり、その手間が少なくなる。特に、狭隘な山間部においては、大型ショベルなどが入り込めないこともあるから、床堀施工量は少ない方が好ましい。
【００１４】
また、法面は施工基面に対し前後方向に上り勾配をなすが、この法面の勾配如何にかかわらず、水平方向に置かれた上下横木材間に、支持棒材を水平姿勢で法面に向かうように順次ずらされて積み重ねられるので、横木材と支持棒材との連結のための位置合わせが容易となり、施工性が大きく改善される。
【００１５】
さらに、上下同一長さの支持棒材を使用するので、構造が簡単化し、その成形、搬送、組立ての各面からみても効率的な施工を期待できる。
【００１６】
請求項２記載の発明のように、支持棒材は、上記ずらした位置における横木材の周壁部に対応する切欠部を有するとともに、この切欠部に横木材の周壁部を係合させた状態で上記横木材と上記支持棒材とを連結する連結部材を備えたこととすれば、支持棒材に設けられた切欠部に横木材の周壁部を係合させるだけで、横木材と支持棒材との連結のための位置合わせをすることができるため、施工性が大きく改善される。
【００１７】
また、法面の勾配の大きさ如何にかかわらず、支持部材の切欠部と横木材の周壁部との係合が自重によって外れることがないので、万一連結部材が腐食してその連結機能が損なわれたとしても、上記横木材と支持棒材とに作用する裏込め材の大きな押圧力に抗することができ、上記係合によって擁壁の崩壊が効果的に防止される。
【００１８】
請求項３に記載の発明のように、連結部材は上記連結状態で鉛直姿勢となるものであることとすれば、連結部材による連結が重力に逆らうことなく行われるので、その連結が容易となり、施工性がさらに大きく改善される。
【００１９】
請求項４記載の発明は、施工基面と、この施工基面に対し前後方向に上り勾配をなす法面とを有する施工現場に組立てられ、上記法面に沿って水平方向に伸びる上下複数段の横木材と、上下横木材間に設置されて上記前後方向に伸びる上下複数段の支持棒材とを備えた擁壁の施工方法であって、施工基面を水平に造成した後に、この施工基面上に上下同一長さの支持棒材を水平姿勢で横木材とともに上記法面に向かうように順次ずらして積み重ねることを特徴とするものである。
【００２０】
この施工方法では、施工基面が水平に造成された後に、この施工基面上に上下同一長さの支持棒材が水平姿勢で横木材とともに上記法面に向かうように順次ずらされて積み重ねられるので、床堀施工の手間が少なくなるとともに、その施工性が大幅に改善される。
【００２１】
【発明の実施の形態】
図１は本発明の一実施形態に係る擁壁構造を示す側面断面図、図２は本擁壁構造の施工状態を示す分解斜視図、図３はその側面断面図である。
【００２２】
この擁壁構造は、図１に示すように、施工現場の法面１に沿って水平方向に伸びる前面用の横木材２および後面用の横木材３と、前面用の横材２の間に設置されてその後方側、つまり上記法面１側に伸びる支持棒材４とを有し、前面用の横木材２と、法面１との間に土石等からなる裏込め材５が充填されている。
【００２３】
横木材２，３は、防腐処理が施された、９０〜１２０ｍｍ程度の直径を有する丸棒材からなり、それぞれ上下複数段に積層されている。
【００２４】
支持棒材４は、防腐処理が施された、上記横木材２，３と同じく９０〜１２０ｍｍ程度の直径を有する丸棒材からなり、上下同一長さを有し、かつ、この支持棒材４は水平姿勢で横木材２，３とともに法面１に向かうように順次に略等ピッチでずらして積層されている。
【００２５】
この支持棒材４の前方部および後方部には、図２に示すように、上記ずらした位置における横木材２，３の周壁部に対応する切欠部６が上下にそれぞれ形成されている。
【００２６】
具体的には、各支持棒材４の図２中の左端面からＰ１だけ離れた部位の下側と、この部位からＰ２だけ離れた部位の上側と、この部位からＰ３だけ離れた部位の下側と、この部位からＰ４だけ離れた部位の上側とにそれぞれ切欠部６が設けられている。
【００２７】
ここでは、Ｐ１〜Ｐ５の合計が支持棒材４の全長に等しく設定されており、Ｐ１＝Ｐ５、Ｐ２＝Ｐ４であるので、各切欠部６は支持棒材４の長手方向の中心に対して回転対称となっている。
【００２８】
そして、図３に示すように、現場で、支持棒材４の切欠部６上に横木材２，３の周壁部が係合された状態で、上方から釘等からなる連結部材８が打ち込まれることにより、上記横木材２，３と支持棒材４とが一段づつ連結されている。この連結部材８は、上記一段ずつの連結が可能な長さであって、上記連結状態で鉛直姿勢をなしている。この一段づつの連結構造は、上下同一の通しボルトで全段を固定した場合に比べて地震に対する強度が大きくなることが知られている。
【００２９】
引き続き、本擁壁構造の施工手順について説明する。
【００３０】
上記擁壁構造を施工するには、まず図１において、施工現場の法面１を所定角度に削り取るとともに、その下方に位置する施工基面９を水平に堀込んだ後、第１段目となる前面側の横木材２および後面側の横木材３を施工基面９上に平行に設置する。
【００３１】
次いで、図２及び図３に示すように、支持棒材４の切欠部６が被さるように、この支持棒材４を前面側の横木材２および後面側の横木材３上に載置し、連結部材８によって連結することにより、例えば上記前面側の横木材２を施工現場の全範囲に亘り連続して設置するとともに、例えば上記後面側の横木材３を所定間隔置きに設置する。支持棒材４と横木材２，３とは、図１の法面１に向けて略等ピッチでずれるように設置される。
【００３２】
この際、支持棒材４に設けられた切欠部６に横木材２，３の周壁部を係合させるだけで、横木材２，３と支持棒材４との連結のための位置合わせをすることができる。また、連結部材８は連結状態で鉛直姿勢となり、連結部材８による連結が重力に逆らうことなく行われるので、その連結が容易となる。
【００３３】
そして、上記第１段目の横木材２，３と支持部材４上に第２段目以降の横木材２，３及び支持棒材４を順次設置した後、前面側の横木材２と法面１との間に土石等からなる裏込め材５を充填することにより、図１に示すような擁壁構造が得られる。
【００３４】
上記のように施工された擁壁構造では、水平な施工基面９上に擁壁を形成するので、この施工基面９を造成するために大きく床堀施工することがなくなり、その手間を少なくすることができる。特に、狭隘な山間部においては、大型ショベルなどが入り込めないこともあるから、床堀施工量は少ない方が好ましい。
【００３５】
また、法面１は施工基面９に対し前後方向に上り勾配をなすが、この法面１の勾配如何にかかわらず、水平方向に置かれた上下横木材２（３）間に、支持棒４材を水平姿勢で法面１に向かうように順次ずらされて積み重ねられるので、横木材２，３と支持棒材４との連結のための位置合わせが容易となり、施工性が大きく改善される。
【００３６】
その際に、支持棒材４に設けられた切欠部６に横木材２，３の周壁部を係合させるが、本実施形態では、法面１の勾配の大きさ如何にかかわらず、この係合が従来例のように自重によって外れることがないので、万一連結部材８が腐食してその連結機能が損なわれたとしても、上記横木材２，３と支持棒材４とに作用する裏込め材５の大きな押圧力に抗することができ、上記係合によって擁壁の崩壊が効果的に防止することができる。
【００３７】
さらに、上下同一長さの支持棒材４を使用するので、構造が簡単化し、その成形、搬送、組立ての各面からみても効率的な施工を期待できる。
【００３８】
なお、上記実施形態では、丸棒材からなる横木材２，３および支持棒材４を使用した例について説明したが、長方形の断面形状を有する角棒材を使用し、あるいは正方形の断面形状を有する角棒材を使用し、または丸棒材と角棒材とを組合わせて使用するように構成してもよい。
【００３９】
【発明の効果】
請求項１及び請求項４記載の発明によれば、施工基面が水平に造成された後に、この施工基面上に上下同一長さの支持棒材が水平姿勢で横木材とともに上記法面に向かうように順次ずらされて積み重ねられるので、床堀施工の手間を少なくすることができるとともに、その施工性を大幅に改善することができる。
【００４０】
請求項２記載の発明によれば、支持棒材に設けられた切欠部に横木材の周壁部を係合させるだけで、横木材と支持棒材との連結のための位置合わせをすることができるため、施工性を大きく改善することができる。
【００４１】
また、法面の勾配の大きさ如何にかかわらず、支持部材の切欠部と横木材の周壁部との係合が自重によって外れることがないので、万一連結部材が腐食してその連結機能が損なわれたとしても、上記横木材と支持棒材とに作用する裏込め材の大きな押圧力に抗することができ、上記係合によって擁壁の崩壊が効果的に防止することができる。
【００４２】
請求項３に記載の発明によれば、連結部材による連結が重力に逆らうことなく行われるので、その連結が容易となり、施工性をさらに大きく改善することができる。
【図面の簡単な説明】
【図１】本発明の一実施形態に係る擁壁構造を示す側面断面図である。
【図２】本擁壁構造の施工状態を示す分解斜視図である。
【図３】本擁壁構造の施工状態を示す側面断面図である。
【図４】従来の擁壁構造の一例を示す側面断面図である。
【符号の説明】
１  法面
２  前面側の横木材
３  後面側の横木材
４  支持棒材
５  裏込め材
６  切欠部
８  連結部材
９  施工基面
【図１】
2004257048.tif 000003
【図２】
2004257048.tif 000004
【図３】
2004257048.tif 000005
【図４】
2004257048.tif 000006